(57)【特許請求の範囲】
【請求項１】
取付孔が設けられた天井や床等に取り付けられる給排換気口であって、給排換気口のグリル本体の内部にグリル本体の通気部の一部を遮るように形成されたグリル本体プレートと、このグリル本体プレートの中央円板部を挟んで形成された一対の扇状グリル片と、前記中央円板部に突設された第１軸部と、この第１軸部に突設された第２軸部と、前記中央円板部の正面に形成されたグリル突起と、前記第１軸部に形成された第１キーと、第２軸部に形成された第２キーと、前記グリル本体プレートの室内側に回転可能に配設された第１調整プレートと、この第１調整プレートの中央に形成された第１リング部を挟んで形成された一対の第１扇状調整片と、前記第１リング部の正面に形成されると共に前記グリル突起よりも大きく形成された第１突起と、前記第１リング部の背面に形成され前記グリル突起が入り込む第１溝と、前記第１リング部の内周面に形成されると共に前記第１キーが入る第１キー溝と、前記第１調整プレートの室内側に回転可能に配設される第２調整プレートと、この第２調整プレートの中央に形成された第２リング部を挟んで形成された一対の第２扇状調整片と、前記第２リング部の正面に形成されると共に前記第１突起よりも大きく形成された第２突起と、前記第２リング部の背面に形成されると共に前記第１突起が入り込む第２溝と、前記第２リング部の内周面に形成されると共に前記第１キーが入る第２キー溝と、前記第２調整プレートの室内側に回転可能に配設される第３調整プレートと、この第３調整プレートの中央に形成された中央筒部を挟んで形成された一対の第３扇状調整片と、前記中央筒部の背面に形成されると共に前記第２突起が入る第３溝と、前記中央筒部の内周面に形成されると共に前記第２キーが入る第３キー溝と、前記第３調整プレートの第２軸部に外装されて前記第３調整プレート、第２調整プレート、第１調整プレートを前記グリル本体プレートに押し付けるコイルバネと、を有してなることを特徴とする給排換気口。
【発明の詳細な説明】
【０００１】
【発明の属する技術分野】
本発明は、主に家屋の天井や壁等に配設されて室内の換気を図る給排換気口に関する。
【０００２】
【従来の技術】
家屋の天井や床等には室内の換気を図る目的から給排換気口が取り付けられる場合がある。
ところで、この給排換気口のなかには換気量の調整を行える調整弁付きタイプがある。
しかし、従来のこのタイプの給排換気口においては換気量の調整を行う調整弁を調整するためには調整用の工具が必要であると共に開口調整においては開口の大きさを測定するスケールが必要である。
また、調整後は換気口毎に換気量の確認が必要となる等調整作業が煩雑である。
【０００３】
【発明が解決しようとする課題】
本発明は、上記事実に鑑みなされたものであり、給排換気口の換気量の調整をする場合に工具等を必要とすることなく、しかも簡単に段階的に換気量調整を行うことができる給排換気口を提供するものである。
【０００４】
【課題を解決するための手段】
請求項１記載の発明は、取付孔が設けられた天井や床等に取り付けられる給排換気口であって、給排換気口のグリル本体の内部にグリル本体の通気部の一部を遮るように形成されたグリル本体プレートと、このグリル本体プレートの中央円板部を挟んで形成された一対の扇状グリル片と、前記中央円板部に突設された第１軸部と、この第１軸部に突設された第２軸部と、前記中央円板部の正面に形成されたグリル突起と、前記第１軸部に形成された第１キーと、第２軸部に形成された第２キーと、前記グリル本体プレートの室内側に回転可能に配設された第１調整プレートと、この第１調整プレートの中央に形成された第１リング部を挟んで形成された一対の第１扇状調整片と、前記第１リング部の正面に形成されると共に前記グリル突起よりも大きく形成された第１突起と、前記第１リング部の背面に形成され前記グリル突起が入り込む第１溝と、前記第１リング部の内周面に形成されると共に前記第１キーが入る第１キー溝と、前記第１調整プレートの室内側に回転可能に配設される第２調整プレートと、この第２調整プレートの中央に形成された第２リング部を挟んで形成された一対の第２扇状調整片と、前記第２リング部の正面に形成されると共に前記第１突起よりも大きく形成された第２突起と、前記第２リング部の背面に形成されると共に前記第１突起が入り込む第２溝と、前記第２リング部の内周面に形成されると共に前記第１キーが入る第２キー溝と、前記第２調整プレートの室内側に回転可能に配設される第３調整プレートと、この第３調整プレートの中央に形成された中央筒部を挟んで形成された一対の第３扇状調整片と、前記中央筒部の背面に形成されると共に前記第２突起が入る第３溝と、前記中央筒部の内周面に形成されると共に前記第２キーが入る第３キー溝と、前記第３調整プレートの第２軸部に外装されて前記第３調整プレート、第２調整プレート、第１調整プレートを前記グリル本体プレートに押し付けるコイルバネと、を有してなることを特徴としている。
【０００５】
【発明の実施の形態】
図１〜図１２には本発明に係る給排換気口の一実施例が示されている。この実施例では天井板に取り付けられる給排換気口を例にして説明する。
図１に示されるように、給排換気口１０のグリル本体１２は円筒形状の胴部１４とリング部１６とから形成されている。前記胴部１４は基端部１４Ａと基端部１４Ａより少し小径の先端部１４Ｂが形成されている。また、前記胴部１４の基端部１４Ａの内面にはネジが切ってありアンダープレート１５がねじ込まれて挿入状態で取り付けられている。
前記グリル本体１２の前記胴部１４の先端部１４Ｂには天井板の反室内側に配設されるダクトの一端部が外嵌されるようになっている。
前記リング部１６の一端面１６Ａは前記天井板の内側面に当接されるようになっている。また、リング部１６の一端面１６Ａには周方向にリング状のシール収容溝１８が形成されている。このシール収容溝１８にはシール部材としてのシールテープ２０が貼り付けられている。
前記グリル本体１２の胴部１４内部にはグリル本体１２の通気部２１の一部を遮るようにグリル本体プレート２２が一体形成されている。
図５に示されるように、このグリル本体プレート２２には中央部に設けられた中央円板部２４を挟んで扇状の扇状グリル片２６Ａと扇状グリル片２６Ｂが対抗して突設されている。なお、グリル本体プレート２２の扇状グリル片２６Ａ，扇状グリル片２６Ｂは後述する第１調整プレート３８の第１扇状調整片４２Ａ，４２Ｂと第２調整プレート５０の第２扇状調整片５４Ａ，５４Ｂと第３調整プレート６２の扇状の第３扇状調整片６６Ａ，６６Ｂと同じ大きさに形成されている。前記中央円板部２４には第１軸部２８が突設され、第１軸部２８には第１軸部２８より小径の第２軸部３０が突設されている。前記中央円板部２４の正面２４Ａには第１軸部２８を挟んでグリル突起３２，３２が前記扇状グリル片２６Ａ，２６Ｂと対応して突設されている。また、前記第１軸部２８には第１キー３４が突設され、第２軸部３０には第２キー３６がそれぞれ突設されている。
図１に示されるように、前記グリル本体プレート２２の室内側には第１調整プレート３８が回転可能に配設されている。
図６に示されるように、この第１調整プレート３８の中央に形成された第１リング部４０には第１リング部４０を挟んで扇状の第１扇状調整片４２Ａと第１扇状調整片４２Ｂが対抗して設けられている。前記第１リング部４０の正面４０Ａには第１突起４４，４４が第１扇状調整片４２Ａ，４２Ｂと対応して設けられられている。図３に示されるように、この第１突起４４，４４は前記グリル突起３２，３２より少し大きく形成されている。
図６に示されるように、第１リング部４０の背面４０Ｂには前記グリル突起３２，３２が入り込む第１溝４６Ａ，４６Ｂが形成されている。なお、第１溝４６Ａは第１扇状調整片４２Ａ，４２Ｂに対応して形成されているが、第１溝４６Ｂは第１溝４６Ａに対して４５°傾斜して形成されている。また、前記第１リング部４０の内周面には前記第１キー３４が入る第１キー溝４８が切り欠き形成されている。
図１に示されるように、前記第１調整プレート３８の室内側には第２調整プレート５０が回転可能に配設されている。
図７に示されるように、この第２調整プレート５０の中央に形成された第２リング部５２には第２リング部５２を挟んで扇状の第２扇状調整片５４Ａと第２扇状調整片５４Ｂが対抗して設けられている。前記第２リング部５２の正面５２Ａには第２突起５６，５６が第２扇状調整片５４Ａ，５４Ｂと対応して設けられている。図３に示されるように、これら第２突起５６，５６は前記第１突起４４，４４より大きく形成されている。
図７に示されるように、前記第２リング部５２の背面５２Ｂには前記第１突起４４，４４が入り込む第２溝５８Ａ，５８Ｂが形成されている。なお、第２溝５８Ａは第２扇状調整片５４Ａ，５４Ｂに対応して形成されているが、第２溝５８Ｂは第２溝５８Ａに対して４５°傾斜して形成されている。図３に示されるように前記第２溝５８Ａ，５８Ｂは前記第１溝４６Ａ，４６Ｂより少し大きく形成されている。
図７に示されるように、前記第２リング部５２の内周面には前記第１キー３４が入る第２キー溝６０が切り欠き形成されている。この第２キー溝６０は前記第１キー溝４８より周方向に長く形成されている。
図１に示されるように、前記第２調整プレート５０の室内側には第３調整プレート６２が回転可能に配設されている。
図８に示されるように、この第３調整プレート６２の中央に形成された中央筒部６４の背面側部には中央筒部６４を挟んで扇状の第３扇状調整片６６Ａと第３扇状調整片６６Ｂが対抗して設けられている。前記中央筒部６４の背面６４Ａには前記第２突起５６，５６が入る第３溝６８Ａ，６８Ｂが設けられている。なお、第３溝６８Ａは第３扇状調整片６６Ａ，６６Ｂに対応して形成されているが、第３溝６８Ｂは第３溝６８Ａに対して４５°傾斜して形成されている。図３に示されるように、第３溝６８Ａ，６８Ｂは前記第２溝５８Ａ，５８Ｂより少し大きく形成されている。
図８に示されるように、前記中央筒部６４の内周面には前記第２キー３６が入る第３キー溝７０が切り欠き形成されている。この第３キー溝７０は前記第２キー溝６０より周方向に長く形成されている。
図４に示されるように前記第３調整プレート６２の第２軸部３０にはコイルバネ７２が外装されると共に前記第３調整プレート６２の中央筒部６４に収容されている。しかも、このコイルバネ７２は前記中央筒部６４の背面６４Ａと第２軸部３０の先端に設けられたコイルバネ押圧体７４によって押圧状態となっている。
従って、前記コイルバネ７２の付勢力により前記第３調整プレート６２、第２調整プレート５０、第１調整プレート３８を前記グリル本体プレート２２に押し付けるようになっている。
しかも、図３に示されるように、グリル本体プレート２２のグリル突起３２，３２は第１調整プレート３８の第１溝４６Ａ，４６Ｂに、第１調整プレート３８の第１突起４４，４４は第２調整プレート５０の第２溝５８Ａ，５８Ｂに入り、第２調整プレート５０の第２突起５６，５６は第３調整プレート６２の第３溝６８Ａ，６８Ｂに、それぞれ入り込むようになっているので勝手に前記第１調整プレート３８、第２調整プレート５０、第３調整プレート６２が回転してしまうことはない。
図１に示されるように、前記グリル本体１２の室内側に対応するアンダープレート１５にはガラリ７８が嵌入されている。このガラリ７８にはフィルター８０が設けられ、フィルター８０はフィルター押え８１に押え付けられるようになっている。
図２に示されるように前記ガラリ７８の室内側には格子状の格子部８２が形成されている。
【０００６】
次に、天井板に取り付けられた前記給排換気口１０の換気量を少なくする場合を例にして給排換気口１０の作用について説明する。
最初に、前記給排換気口１０からガラリ７８を取り外す。
この時、前記給排換気口１０の通気部２１は図９に示されるように前記第１調整プレート３８、第２調整プレート５０、第３調整プレート６２は重なり合いしかも前記グリル本体プレート２２に重なり合っている。従って、給排換気口１０の通気部２１の面積は最大になっている。
この状態で通気部２１を少し小さくしたい場合は、図９時計回り方向に室内側の第３調整プレート６２を時計回り方向に４５°回転させるとコイルバネ７２によって第３調整プレート６２は第２調整プレート５０と第１調整プレート３８をグリル本体プレート２２に押し付けているので、第３調整プレート６２の第３溝６８Ａと第２調整プレート５０の第２突起５６、第２調整プレート５０の第２溝５８Ａと第１調整プレート３８の第１突起４４の係止状態は解除されないが、第１調整プレート３８の第１溝４６Ａに係止しているグリル本体プレート２２のグリル突起３２は一番小さい突起であるため、第１調整プレート３８の第１溝４６Ａとグリル本体プレート２２のグリル突起３２の係止状態が解除し、第３調整プレート６２と第２調整プレート５０と第１調整プレート３８は重なり合った状態で図１０に示される位置に４５°回転する。なお、４５°回転した前記第１調整プレート３８の第１溝４６Ｂには前記グリル本体プレート２２のグリル突起３２が入り込むので第１調整プレート３８はズレたりすることがなく、また、調整時の手にクリック感を感じることができる。
また、第１調整プレート３８が４５°以上回転しようとしてもグリル本体プレート２２の第１キー３４が第１調整プレート３８の第１キー溝４８の端面に当接するので第１調整プレート３８はそれ以上回転できない。
従って、この状態においては図１０に示されるように通気部２１はグリル本体プレート２２と第３調整プレート６２とによって遮られるため通気部２１の面積は少し狭くなる。
この状態で、さらに通気部２１を小さくしたい場合は、図１０時計回り方向に第３調整プレート６２を時計回り方向に４５°回転させるとコイルバネ７２によって第３調整プレート６２は第２調整プレート５０と第１調整プレート３８を押し付けているので、第３調整プレート６２の第３溝６８Ａと第２調整プレート５０の第２突起５６の係止状態は解除されないが、第２調整プレート５０の第２溝５８Ａに係止している第１調整プレート３８の第１突起４４は前記第２突起５６より小さい突起であるため、第２調整プレート５０の第２溝５８Ａと第１調整プレート３８の第１突起４４の係止状態が解除し、第３調整プレート６２と第２調整プレート５０が重なり合った状態で図１１に示される位置に回転する。なお、４５°回転した前記第２調整プレート５０の第２溝５８Ｂには前記第１調整プレート３８の第１突起４４が入り込むので第２調整プレート５０はズレたりすることがなく、また、調整時の手にクリック感を感じることができる。
また、第２調整プレート５０が４５°以上回転しようとしてもグリル本体プレート２２の第１キー３４が第２調整プレート５０の第２キー溝６０の端面に当接するので第２調整プレート５０はそれ以上回転できない。
従って、この状態においては図１１に示されるように通気部２１はグリル本体プレート２２と第１調整プレート３８と第３調整プレート６２とによって遮られるため通気部２１の面積は狭くなる。
最後に前記通気部２１を完全に閉じてしまいたい場合は、図１１時計回り方向に第３調整プレート６２を時計回り方向に４５°回転させるとコイルバネ７２によって第３調整プレート６２は第２調整プレート５０を押し付けているが回転させる方の力が強いと第３調整プレート６２の第３溝６８Ａと第２調整プレート５０の第２突起５６の係止状態が解除し、第３調整プレート６２が図１２に示される位置に回転する。
なお、４５°回転した前記第３調整プレート６２の第３溝６８Ｂには前記第２調整プレート５０の第２突起５６が入り込むので第３調整プレート６２はズレたりすることがなく、また、調整時の手にクリック感を感じることができる。
また、第３調整プレート６２が４５°以上回転しようとしてもグリル本体プレート２２の第２キー３４が第３調整プレート６２の第３キー溝７０の端面に当接するので第３調整プレート６２はそれ以上回転できない。
従って、この状態においては図１２に示されるように通気部２１はグリル本体プレート２２と第１調整プレート３８と第２調整プレート５０と第３調整プレート６２とによって完全に閉じられる。
なお、前記給排換気口１０の通気部２１を開けたい場合は図１２に示す位置にある前記第３調整プレート６２を反時計回り方向に回転させることにより、通気部２１を段階的に開けることができる。
従って、前記給排換気口１０においては通気部２１を段階的に開けたり閉じたりすることができる。
この結果、給排換気口１０は室内側の第３調整プレート６２を回転させるだけの簡単な操作で簡単に通気部２１を段階的に閉じたり開けたりすることができる。
しかも、前記換気部２１を開閉する際に工具等の使用を不用にすることができる。
【０００７】
また、実施例では給排換気口１０を天井板に取り付けた例を示したが、給排換気口１０は床や壁等にも取り付けてもよいことは勿論である。
【０００８】
【発明の効果】
以上説明したように本発明に係る給排換気口は、第３調整プレートを室内側から回転させるだけで通気部の開口面積を段階的に小さくしたり広くしたりすることができ、簡単に換気量を調整することができるという優れた効果を有する。また、本発明に係る給排換気口は、換気量を調整する場合に工具やスケール等を用意する必要がないので、簡単に換気量の調整を行うことができるという優れた効果を有する。
【図面の簡単な説明】
【図１】実施例の給排換気口の取付状態の一部切欠縦断面図である。
【図２】実施例の給排換気口の正面図である。
【図３】実施例の給排換気口の概略一部拡大図である。
【図４】実施例の給排換気口の概略一部拡大横断面図である。
【図５】実施例の給排換気口のグリル本体プレートを切り取った状態の斜視図である。
【図６】実施例の給排換気口の第１調整プレートの正面斜視図及び背面斜視図である。
【図７】実施例の給排換気口の第２調整プレートの正面斜視図及び背面斜視図である。
【図８】実施例の給排換気口の第３調整プレートの正面斜視図及び背面斜視図である。
【図９】実施例の給排換気口の換気部を最大限に開口した状態の正面図である。
【図１０】実施例の給排換気口の作用説明図である。
【図１１】実施例の給排換気口の作用説明図である。
【図１２】実施例の給排換気口の作用説明図である。
【符号の説明】
１０    給排換気口
１２    グリル本体
２２    グリル本体プレート
３８    第１調整プレート
５０    第２調整プレート
６２    第３調整プレート
７２    コイルバネ
【図１】
0003865645.tif 000002
【図２】
0003865645.tif 000003
【図３】
0003865645.tif 000004
【図４】
0003865645.tif 000005
【図５】
0003865645.tif 000006
【図６】
0003865645.tif 000007
【図７】
0003865645.tif 000008
【図８】
0003865645.tif 000009
【図９】
0003865645.tif 000010
【図１０】
0003865645.tif 000011
【図１１】
0003865645.tif 000012
【図１２】
0003865645.tif 000013